(57)【要約】  【課題】ゴルフスウィング中にゴルファの感じるゴルフクラブの重さの指標として扱われてきた回転モーメントとは異なる指標を用いて、ゴルフクラブの重さがいずれのゴルフクラブにおいても略一定に感じるゴルフクラブセットを提供する。  【解決手段】ゴルフクラブセット１はロフト角度の異なる１０本のゴルフクラブによって構成されている。ゴルフクラブヘッドの重心位置を通りフェース面に対して垂直な法線をゴルフクラブシャフトの中心軸に垂直な面に投影することにより投影線を規定する。このとき、１０本のゴルフクラブは、この投影線と、ゴルフクラブシャフトの中心軸のそれぞれに直交し、かつこの中心軸又はこの延長線上を通る直線を軸とするゴルフクラブの慣性モーメント［Ｉｃ＋Ｗ・（Ｘ＋ｌ）2］が略一定である。【選択図】図３
2006102023.tif 000002
【特許請求の範囲】
【請求項１】
ロフト角度の異なる複数本のゴルフクラブによって構成されたゴルフクラブセットであって、
前記複数本のゴルフクラブのそれぞれにおいて、ゴルフクラブヘッドの重心位置を通りフェース面に対して垂直な法線をゴルフクラブシャフトの中心軸に垂直な面に投影することにより投影線を規定したとき、前記複数本のゴルフクラブは、この投影線とゴルフクラブシャフトの前記中心軸のそれぞれに直交し、かつ前記中心軸又はこの中心軸の延長線上を通る直線を軸とするゴルフクラブの慣性モーメントがいずれも略一定であることを特徴とするゴルフクラブセット。
【請求項２】
前記ゴルフクラブの慣性モーメントは、ゴルフスウィング時のゴルフボール打撃直前におけるゴルフクラブシャフトの中心軸と直交する方向を軸としてゴルフクラブの打撃方向に向かってゴルフクラブが回転するときの慣性モーメントであり、
前記ゴルフクラブの回転は、ゴルフクラブシャフトの中心軸の延長線上の、ゴルフクラブのグリップ端から所定の距離はなれた位置を回転中心とする回転運動であり、
前記各ゴルフクラブの前記慣性モーメントは、前記回転中心周りの慣性モーメントである請求項１に記載のゴルフクラブセット。
【請求項３】
前記グリップ端から前記回転中心までの距離が予め区分けして設定され、この区分けされた距離を用いて、前記ゴルフクラブの慣性モーメントが略一定に構成された請求項２に記載のゴルフクラブセット。
【発明の詳細な説明】
【技術分野】
【０００１】
本発明は、ロフト角度が異なる複数本のゴルフクラブによって構成されるゴルフクラブセットに関する。
【背景技術】
【０００２】
ゴルフは１４本のゴルフクラブを用いて、ゴルフボールを所定の位置に飛球させるスポーツであり、ロフト角度の異なる複数本のゴルフクラブがゴルフクラブセットとして市場に種々提供されている。
このようなゴルフクラブセットは、ロフト角度及びゴルフクラブ長さを変化させることによってゴルフボールの飛距離が徐々に長くなる、又は短くなるように設計されている。例えば、アイアンゴルフクラブセットでは、５番アイアンでは１５０ヤード、６番アイアンでは１４０ヤード。７番アイアンでは１３０ヤードといったように飛距離が調整されて設計されている。すなわち、ゴルフクラブセットにおいて、ゴルフクラブが飛距離において調和するように設計されている。
【０００３】
ところが、実際にゴルファがゴルフボールの打撃直前に感ずるゴルフクラブの重さの感覚は、飛距離が調和したゴルフクラブセットであっても、ゴルフクラブによって調和されていない場合がある。例えば５番アイアンでは軽く感じ、６番では重く感じ、７番アイアンでは軽く感じる。このような場合、ゴルファは６番アイアンを用いる場合、ゴルフクラブの重さに負けないように、５番アイアンや７番アイアンに比べて力強いゴルフスウィングを意識してスウィングしようとする。このため、ゴルファはゴルフスウィングの過剰な意識によりかえって力みが生じ、ゴルフボールを適格に打撃できない場合もある。
一方、ゴルフスウィング時ゴルファが感じるゴルフクラブの重さの指標として、従来よりゴルフクラブの重心点位置とグリップ端との間の距離から定数（例えば１４インチ）を引いた値にゴルフクラブの質量を乗算した回転モーメントを用いてきた。しかし、この回転モーメントでは、必ずしも十分にゴルフクラブの重さの指標とはならなかった。
【発明の開示】
【発明が解決しようとする課題】
【０００４】
そこで、本発明は、従来のような上記回転モーメントとは異なる、ゴルファが感じるゴルフクラブの重さの指標を用いて、ゴルフクラブの重さがいずれのゴルフクラブにおいても略一定に感じることのできるゴルフクラブセットを提供することを目的とする。
【課題を解決するための手段】
【０００５】
上記目的を達成するために、本発明は、ロフト角度の異なる複数本のゴルフクラブによって構成されたゴルフクラブセットであって、前記複数本のゴルフクラブのそれぞれにおいて、ゴルフクラブヘッドの重心位置を通りフェース面に対して垂直な法線をゴルフクラブシャフトの中心軸に垂直な面に投影することにより投影線を規定したとき、前記複数本のゴルフクラブは、この投影線とゴルフクラブシャフトの前記中心軸のそれぞれに直交し、かつ前記中心軸又はこの中心軸の延長線上を通る直線を軸とするゴルフクラブの慣性モーメントが略一定であることを特徴とするゴルフクラブセットを提供する。
すなわち、前記複数本の慣性モーメントは、ゴルフスウィング時のゴルフボール打撃直前におけるゴルフクラブシャフトの中心軸と直交する方向を軸としてゴルフクラブの打撃方向に向かってゴルフクラブが回転するときのゴルフクラブの慣性モーメントが略一定である。
ゴルフクラブの慣性モーメントが略一定であるとは、複数本のゴルフクラブの前記慣性モーメントの平均値の±４％以内の範囲に、いずれのゴルフクラブの慣性モーメントも含まれることをいう。
【０００６】
なお、前記ゴルフクラブの慣性モーメントは、ゴルフスウィング時のゴルフボール打撃直前におけるゴルフクラブシャフトの中心軸と直交する方向を軸としてゴルフクラブの打撃方向に向かってゴルフクラブが回転するときの慣性モーメントであり、前記ゴルフクラブの回転は、ゴルフクラブシャフトの中心軸の延長線上の、ゴルフクラブのグリップ端から所定の距離はなれた位置を回転中心とする回転運動であり、各ゴルフクラブの前記慣性モーメントは、前記回転中心周りの慣性モーメントであることが好ましい。その際、前記グリップ端から前記回転中心までの距離が予め区分けして設定され、この区分けされた距離を用いて、前記ゴルフクラブの慣性モーメントが略一定になるように前記ゴルフクラブセットが構成されることが好ましい。
前記ロフト角度は１５〜４５度の範囲内にあることが好ましい。
【発明の効果】
【０００７】
本発明のゴルフクラブセットでは、上述したゴルフクラブの慣性モーメントが複数のゴルフクラブにおいて略一定となっている。このため、ゴルフスウィング時のゴルフボールインパクト直前、ゴルフクラブの回転運動における慣性項を一定にすることができる。これにより、ゴルファはゴルフスウィング時ゴルフクラブの重さを番手に拠らず略一定に感じ、番手に拠らず安定したゴルフスウィングをすることができる。
【発明を実施するための最良の形態】
【０００８】
以下、本発明のゴルフクラブセットについて、添付の図面に示される好適実施例を基に詳細に説明する。
【０００９】
図１はゴルフクラブセットの一例を示す図であり、図２はゴルフクラブセット内の１つのゴルフクラブの一例を示す図である。
ゴルフクラブセット１は、３番アイアン（Ａ３）から９番アイアン（Ａ９）、及びピッチングウェッジ（ＡＰ）、アプローチウェッジ（ＡＡ）、サンドウェッジ（ＡＳ）までの各番手のアイアン（Ａ３〜ＡＳ）１０本によって構成される。各アイアンは、ゴルフクラブシャフト１４の一端にグリップ１６を有し、他端にゴルフクラブヘッド１２を備える。ゴルフクラブヘッド１２は、このヒール側で上方に向けられて突設されたホーゼルにソケットを介してゴルフクラブシャフト１４に連結されている。
【００１０】
ここで、番手とは、主にロフト角度の異なったゴルフクラブをロフト角度の順番に並べることのできるように、各ゴルフクラブに付与した数字（自然数）、文字、または記号等によって表されたロフト角度の順番に関する識別情報の内容であり、各番手のロフト角度は、一定、または概ね一定の間隔で当業者によって適宜設定されている。また、番手が大きいとはロフト角度が大きい番手を指す。
【００１１】
これらのアイアンＡ３〜ＡＳのロフト角度θは、例えば、Ａ３が２１°、Ａ４が２４°、Ａ５が２７°、Ａ６が３０°、Ａ７が３４°、Ａ８が３８°、Ａ９が４２°、ＡＰが４７°、ＡＡが５２°、ＡＳが５７°と番手が大きくなるにつれ、ロフト角度θが大きくなっている。そして、ロフト角度θが１６°乃至４１°の番手は、Ａ３〜Ａ８の６本の番手となっている。なお、アイアンＡ３〜ＡＳのロフト角度は、Ａ３からＡ６までは３°の刻み幅で大きくなり、Ａ７からＡ９までは４°の刻み幅で大きくなり、ＡＰからＡＳまでは５°の刻み幅で大きくなっているが、アイアンＡ３〜ＡＳのロフト角度の刻み幅は、これに限定されず、３°または４°等の一定の刻み幅であってもよい。
また、グリップ１６の端部からゴルフクラブヘッド１２の下端までのゴルフクラブシャフトの長さは、番手が大きくなるにつれ次第に短くなっている。すなわち、番手が小さいものの方がゴルフクラブシャフト１４の長さが長く、ロフト角度が小さくなっている。
【００１２】
なお、本実施形態は１０本のアイアンをゴルフクラブセット１としたものであるが、本発明のゴルフクラブセットには、アイアンゴルフクラブセットのみならず、ウッドゴルフクラブセット、ウッドゴルフクラブセットとアイアンゴルフクラブセットの境界を取り払ったようなゴルフクラブセット、ロングアイアンに相当するもののみのゴルフクラブセット、また、ウッドゴルフクラブとアイアンゴルフクラブの中間的性能を備えてどちらにも分類しがたいいわゆるユーティリティゴルフクラブを含めたゴルフクラブセット等、ロフト角度θが異なる複数本のゴルフクラブによって構成されるものも含まれる。
なお、ゴルフクラブセット１において、そのゴルフクラブセット１内のロフト角度が１５〜４５度の範囲内にあるゴルフクラブの全てが、本発明のゴルフクラブセットの範囲内にあること、すなわち後述するように、ゴルフクラブの打撃方向に向かってゴルフクラブが回転するときのゴルフクラブの慣性モーメントが略一定であることが好ましい。
【００１３】
図２に示すゴルフクラブ１０は、ゴルフクラブヘッド１２、ゴルフクラブシャフト１４、及びグリップ１６を有するアイアン系ゴルフクラブである。
図２中、ゴルフクラブ１０の重心点Ｇはグリップエンドの上端から距離ｌ(この距離を重心位置ｌという)の位置にある、ゴルフクラブシャフト１０の中心軸ＣＬ上の点である。
図２に示すようにゴルフクラブ１０を水平面Ｐの上に置き、この水平面Ｐに対して角度６０度で傾斜した傾斜面Ｑをゴルフクラブヘッド１２のソール面に当て、ゴルフクラブシャフト１０の延長線上にある水平面と傾斜面との交差点１８を定めたとき、ゴルフクラブの長さＬは、交差点１８からグリップ端点１９までの距離となる。ゴルフクラブの長さＬは、財団法人日本ゴルフ協会発行の「ゴルフ規則  ２００４年度版」付属規則II.1.cに定める測定法により測定される。
【００１４】
図３は、ゴルフクラブ１０を把持してゴルファがゴルフスウィングを行う時のゴルフクラブ１０の挙動を模式的に説明する図である。
ゴルフクラブ１０はゴルフボール２０を打撃する直前、ゴルフクラブヘッド１２は点Ｏを回転中心とする円運動をし、ゴルフクラブシャフト１４はゴルフボール２０と点Ｏ（円運動の中心点）を結ぶ直線上に概略一致する。すなわち、ゴルフスウィング時のゴルフボール打撃直前において、点Ｏを中心として、ゴルフクラブの打撃方向（図３中のＤ方向）に向けてゴルフクラブは回転運動を行う。この点Ｏはゴルファのゴルフスウィングに応じた固有の位置にある。
【００１５】
本発明のゴルフクラブセットでは、ゴルフクラブの点Ｏを中心とする回転運動における慣性モーメント、すなわちゴルフスウィング時のゴルフボール打撃直前におけるゴルフクラブシャフトの中心軸と直交する方向を軸としてゴルフクラブの打撃方向に向かってゴルフクラブが回転するときのゴルフクラブの慣性モーメントが、略一定であることを特徴とする。
すなわち、ゴルフクラブヘッドの重心位置を通りフェース面に対して垂直な法線をゴルフクラブシャフトの中心軸に垂直な面に投影することにより規定される投影線と、ゴルフクラブシャフトの前記中心軸のそれぞれに直交し、かつこの中心軸又はこの中心軸の延長線上を通る直線を軸とするゴルフクラブの慣性モーメントが、略一定である。
図４は、上記慣性モーメントの軸を規定する直線を説明する図であり、ゴルフクラブをトウ側やや後方から見た図である。ゴルフクラブヘッドの重心位置Ｇ0を通りゴルフクラブヘッドのフェース面に対して垂直な法線Ｐを定め、この法線Ｐをゴルフクラブシャフトの中心軸ＣＬに垂直な面Ｑに投影することで投影線Ｒを規定する。このとき、本発明における慣性モーメントの軸は、投影線Ｒと、ゴルフクラブシャフトの中心軸ＣＬのそれぞれに直交し、かつこの中心軸ＣＬ又は中心軸ＣＬの延長線上を通る軸である。図４では、投影線Ｒと、ゴルフクラブシャフトの中心軸ＣＬのそれぞれに直交する直線Ｓが示されており、本発明の慣性モーメントの軸はこの直線Ｓに対して平行な軸である。なお、図４に示される中心軸ＣＬに垂直な面Ｑは、ゴルフクラブのライ角度のために、図４の紙面の奥行き方向に向かって下方向に傾斜した面である。したがって、直線Ｓは、図４中の奥行き方向の下方向に向いている。
【００１６】
このようなゴルフクラブは、図３に示されるように、ゴルフクラブヘッド１２のゴルフボール２０を打撃する直前に回転運動を行う。この回転運動における慣性モーメントは［Ｉｃ＋Ｗ・（Ｘ＋ｌ）2］と表すことができる。ここで、Ｉcはゴルフクラブの重心点Ｇ周りの慣性モーメントであり、Ｗはゴルフクラブの総質量であり、ｌはゴルフクラブのグリップ端からゴルフクラブの重心点Ｇへの距離であり、定数Ｘはグリップ端と点Ｏとの間の距離である。
本発明のゴルフクラブセットは、上記慣性モーメント［Ｉｃ＋Ｗ・（Ｘ＋ｌ）2］のうちの定数Ｘによって使用対象ゴルファが区分けされている。
【００１７】
このように定数Ｘにより使用対象のゴルファを区分けするのは、定数Ｘがゴルフクラブの変更可能な設計パラメータではなく、ゴルファのゴルフスウィングに固有の値であるためである。ゴルファが自分自身のゴルフスウィングに固有の定数Ｘの値を知ることにより、ゴルフクラブの上記慣性モーメント［Ｉｃ＋Ｗ・（Ｘ＋ｌ）2］を略一定にするゴルフクラブセットを見出すことができる。
すなわち、ゴルフクラブセットは、定数Ｘに基づいてゴルフクラブを区分けした情報を表示する識別表示体がゴルフクラブヘッドに貼着され、使用対象のゴルファを規定する構成となっている。
【００１８】
一方、このようなゴルフクラブセットにおいて、各ゴルフクラブの慣性モーメント［Ｉｃ＋Ｗ・（Ｘ＋ｌ）2］を略一定とするのは、ゴルファがゴルフスウィング時に感じるゴルフクラブの重さの指標とすることができ、ゴルフクラブセットの各番手によらずゴルファの感じるゴルフクラブの重さを略一定にするためである。すなわち、ゴルフボールの打撃直前に行われるゴルフクラブの回転運動の際に、上記慣性モーメントは重さを表す回転運動の慣性項を規定するパラメータとして作用する。これより、ゴルファは、ゴルフクラブの番手（ゴルフクラブ長さ及び重さ）に拠らずゴルフクラブの重さを略一定に感じ安定したゴルフスウィングをすることができる。
【００１９】
なお、このようなゴルフクラブセットにおいて、上記慣性モーメント［Ｉｃ＋Ｗ・（Ｘ＋ｌ）2］をゴルフボール打撃直前の回転運動の慣性項を規定するパラメータとすることができるのは、以下に示すように、ゴルフクラブの，ゴルフボール打撃直前の回転エネルギ量が、定数Ｘとともに、ゴルファ固有のものと定めることができることを本願発明者が見出したことによる。
ゴルフボールの打撃直前に、ゴルフクラブの有する回転エネルギ量Ｅは、上記Ｉc，Ｗ，ｌ，Ｘ，Ｌを用いて下記式（１）のように表すことができる。
１／２・［Ｉｃ＋Ｗ・（Ｘ＋ｌ）2］・[ＨＳ／（Ｘ＋Ｌ）]2  ＝Ｅ    （１）
ここで、回転エネルギ量Ｅを、定数Ｘとともにゴルフスウィングに固有の量として仮定し、この状態で上記Ｉc，Ｗ，ｌ，Ｌの値を変更した場合、上記式（１）から予測算出されるヘッドスピードＨＳの予測算出結果は、上記Ｉc，Ｗ，ｌ，Ｌを変更したゴルフクラブを実際にゴルフスウィングしたときのヘッドスピードの計測結果と極めて相関が高い。図５は、ヘッドスピードの予測算出結果と計測結果の比較を示すグラフであり、ゴルフクラブの質量（総質量Ｗ）によってヘッドスピードがどのように変化するかを示している。図５によれば、予測算出結果と計測結果は相関係数Ｒ2が０．９９０と極めて高い。しかも、図５中、ゴルフスウィングの異なるゴルファＧa,Ｇbにおいても、それぞれの予測算出結果と計測結果とは相関が極めて高い。
【００２０】
これより、ゴルフボールの打撃直前の回転エネルギ量Ｅは上記定数Ｘとともに、ゴルファのゴルフスウィングに固有のものと定めることができる。したがって、ゴルフボールの打撃直前におけるゴルファ固有の回転エネルギ量Ｅは式（１）で表すことができ、ゴルフクラブの回転運動の慣性項を規定するゴルフクラブの慣性モーメント［Ｉｃ＋Ｗ・（Ｘ＋ｌ）2］を、一定の回転エネルギ量を固有に有するゴルファが感じるゴルフクラブの重さの指標とすることができる。
なお、ゴルフクラブセットでは、上記Ｉｃ，Ｗ，ｌがゴルフクラブの番手に応じて変化するが、設定されている定数Ｘに対して慣性モーメント［Ｉｃ＋Ｗ・（Ｘ＋ｌ）2］が略一定となるように構成している。
【００２１】
ゴルフクラブの上記慣性モーメントが略均一となるゴルフクラブセットを複数のゴルフクラブセットの中からゴルファが見出すためには、定数Ｘは既知であることが必要である。ゴルファは以下に示す方法により定数Ｘを知ることができる。
まず、ゴルファによってゴルフクラブの仕様が異なるゴルフクラブＡおよびゴルフクラブＢを用いてゴルフスウィングが行われる。ゴルフクラブＡは、ゴルフクラブの打撃方向にゴルフクラブが回転するときの、ゴルフクラブの重心点Ｇ回りのゴルフクラブの慣性モーメントＩca、ゴルフクラブの長さＬa、ゴルフクラブの総質量Ｗaおよびゴルフクラブの重心点位置ｌaの値が既知である。ここで、慣性モーメントＩcaは、ゴルフクラブシャフトの軸線Ｓの方向（図３参照）およびゴルフクラブの打撃方向（Ｄ方向；図３参照）に直交する方向を軸とする重心点Ｇ周りの慣性モーメントである。一方ゴルフクラブＢも、ゴルフクラブ１０の重心点Ｇ回りの慣性モーメントＩcｂ、ゴルフクラブの長さＬｂ、ゴルフクラブの総質量Ｗｂおよびゴルフクラブの重心点位置ｌｂの値が既知である。ゴルフクラブＡとＢとはゴルフクラブの仕様が異なっており、重心点回りの慣性モーメント、ゴルフクラブの長さ、ゴルフクラブの総質量およびゴルフクラブの重心点位置のいずれか１つ以上が異なっている。
このようなゴルフクラブＡ，Ｂにおけるゴルフボール打撃直前のヘッドスピードＨＳa，ＨＳbが公知のヘッドスピード計測装置を用いて計測されてコンピュータに取得される。
【００２２】
次に、上記ゴルフクラブＡ，Ｂの慣性モーメント、ゴルフクラブの長さ、ゴルフクラブの総質量およびゴルフクラブの重心点位置の値と、ヘッドスピードから、式（２）を用いて、定数Ｘが算出される。ここで、回転エネルギ量はゴルファのゴルフスウィング固有の値であり、仕様の異なるゴルフクラブＡ，Ｂに関わらず一定であることを利用している。
【００２３】
１／２・［Ｉca＋Ｗa・(Ｘ＋ｌa)2］・[ＨＳa／（Ｘ＋Ｌa）]2
＝１／２・［Ｉcb＋Ｗb・(Ｘ＋ｌb)2］・[ＨＳb／（Ｘ＋Ｌb）]2    （２）
【００２４】
このようにして、算出された定数Ｘはゴルファに既知となり、ゴルフクラブヘッド１２に貼り付けられた識別表示体を参照しながら、慣性モーメント［Ｉｃ＋Ｗ・（Ｘ＋ｌ）2］が番手に拠らず略均一となるゴルフクラブセットを多数のゴルフクラブセットの中から探し出すことができる。
なお、上記例では、２つのゴルフクラブＡ，Ｂを用いて定数Ｘおよび回転エネルギ量Ｅを算出するが、本発明では、仕様の異なる少なくとも２本以上のゴルフクラブを用いて算出することができる。例えば３本のゴルフクラブを用いて回転エネルギ量Ｅを算出する場合、３本のゴルフクラブの回転エネルギ量の偏差が最小となるように定数Ｘを求めて設定すればよい。
【００２５】
なお、定数Ｘの値は、ゴルファによって定まるゴルフスウィングを特徴付ける固有の定数であり、一方、本発明のゴルフクラブセットは定数Ｘに対して慣性モーメント［Ｉｃ＋Ｗ・（Ｘ＋ｌ）2］が略一定に構成されている。ここで、「略一定」とは、各番手のゴルフクラブの慣性モーメントがそれぞれ、これらの慣性モーメントの平均値に対して±４％以内の範囲に含まれていることをいう。本発明においては、略一定である限りにおいて、定数Ｘを所定の値、例えば平均的な値を用いて固定してもよい。例えば、定数Ｘをすべてのゴルファに共通の値をＸ＝０とすることもできる。
【００２６】
なお、本発明におけるヘッドスピードとは、図６に示すように、ヘッドスピード計測装置３０を用いて計測される。ヘッドスピード計測装置３０は、公知の計測装置であって、ビーム射出ユニット２２と、受光ユニット２４と計測ユニット２６とを有して構成される。
計測ユニット２６は、２つの光ビームのそれぞれをゴルフクラブヘッドが横切ることで受光ユニット２４で光ビームの受光が中断されるタイミングのずれを計測してヘッドスピードを算出する。ヘッドスピード計測装置３０は、インパクト直前のヘッドスピードを測定するために、インパクト直前のヘッド軌道位置に配置され、ゴルフボールの中心より、飛球方向後方４０ｍｍを始点にして、飛球線方向後方１００ｍｍの区間に、それぞれ光ビームが配置されるのが望ましい。
【００２７】
以上、本発明のゴルフクラブセットについて詳細に説明したが、本発明は上記実施形態に限定されず、本発明の主旨を逸脱しない範囲において、種々の改良や変更をしてもよいのはもちろんである。
【図面の簡単な説明】
【００２８】
【図１】本発明のゴルフクラブセットの一例を示す図である。
【図２】本発明におけるゴルフクラブセットのアイアン系ゴルフクラブを説明する図である。
【図３】ゴルフクラブを把持してゴルファがゴルフスウィングを行う時のゴルフクラブの挙動を説明する図である。
【図４】本発明における慣性モーメントの軸を規定する直線を説明する図である。
【図５】ゴルフクラブの質量とヘッドスピードとの関係を示す図である。
【図６】ゴルフクラブのヘッドスピード計測装置について説明する図である。
【符号の説明】
【００２９】
１  ゴルフクラブセット
１０  ゴルフクラブ
１２  ゴルフクラブヘッド
１４  ゴルフクラブシャフト
１６  グリップ
１８  交差点
１９  端点
２０  ゴルフボール
２２  ビーム射出ユニット
２４  受光ユニット
２６  計測ユニット２６
３０  ヘッドスピード計測装置
【図１】
2006102023.tif 000003
【図２】
2006102023.tif 000004
【図３】
2006102023.tif 000005
【図４】
2006102023.tif 000006
【図５】
2006102023.tif 000007
【図６】
2006102023.tif 000008